(57)【要約】【課題】貴金属等の材料の使用量を削減できる装飾具を提供する。【解決手段】正六角形の孔２２の各辺に内接した状態で固定部２０に装飾物１０が固定される。そのため、丸い孔で装飾物を固定する場合に比べて、孔２２の開口を大きくすることができる。これにより、固定部２０に使用される貴金属等の材料を減らせるので、装飾具のコストの削減と軽量化を図ることができる。【選択図】図１
2011152215.tif 000002
【特許請求の範囲】
【請求項１】
複数の装飾物と、前記複数の装飾物を固定するための多角形の孔が複数設けられた固定部とを有し、
前記装飾物が、前記多角形の孔の各辺に内接した状態で前記固定部に固定される、
装飾具。
【請求項２】
前記固定部は、前記多角形の孔の縁に近接して立設され、前記孔に載置された前記装飾物を係止する複数の爪部を有する、
請求項１に記載の装飾具。
【請求項３】
前記複数の爪部の少なくとも一部は、隣接する複数の孔の間に立設されており、当該隣接する複数の孔に載置された複数の前記装飾物を共通に係止する、
請求項２に記載の装飾具。
【請求項４】
前記複数の孔の少なくとも一部は、合同な正多角形に形成されており、隣接する孔の辺同士が一定の距離を隔てて略平行に向かい合うように配設されている、
請求項３に記載の装飾具。
【請求項５】
前記正多角形の孔の少なくとも一部は、隣接する孔同士が線対称の関係を持つように配設されている、
請求項４に記載の装飾具。
【請求項６】
前記複数の爪部の少なくとも一部は、前記正多角形の孔の頂点若しくは辺の中央に近接して立設される、
請求項５に記載の装飾具。
【発明の詳細な説明】
【技術分野】
【０００１】
本発明は、宝石等の装飾物を複数設けた指輪やペンダント等の装飾具に関するものである。
【背景技術】
【０００２】
複数の宝石をアレイ状に並べて配置したジュエリーは、比較的安価でありがなら装飾性に優れているため、従来より種々の形態のものが造られている（例えば下記の特許文献１を参照）。
【先行技術文献】
【特許文献】
【０００３】
【特許文献１】特開２００８−１３６７４７号公報
【発明の概要】
【発明が解決しようとする課題】
【０００４】
複数の宝石を並べて配置したジュエリーにおいては、それぞれの宝石の見栄えを損なうことなく、かつ全体の強度を保ちながら、宝石を基台に固定することが課題となる。従来は、基台に形成された複数の丸孔に宝石を載置し、各丸孔の縁に設けられた爪によって宝石を係止する方法が一般的に用いられている。
【０００５】
しかしながら、近年、ジュエリーの基台の材料として用いられる貴金属の価格は上昇傾向にあることから、その使用量をできるだけ削減することが求められている。
上述のような丸孔に宝石を固定する方法では、基台の材料を削減するために丸孔のサイズを大きくしてしまうと、宝石が孔を通ってしまい、所望のサイズの宝石を固定できなくなるという問題がある。
【０００６】
また、下部が円錐状にカットされている宝石を丸孔に固定した場合、基台と宝石との間の隙間が殆どなくなり、外光が基台の内部に取り込まれ難くなる。そのため、基台の内部から外部へ反射する光による宝石の輝きが乏しくなるという問題もある。
【０００７】
本発明はかかる事情に鑑みてなされたものであり、その目的は、貴金属等の材料の使用量を削減できる装飾具を提供することにある。
【課題を解決するための手段】
【０００８】
本発明に係る装飾具は、複数の装飾物と、前記複数の装飾物を固定するための多角形の孔が複数設けられた固定部とを有し、前記装飾物が、前記多角形の孔の各辺に内接した状態で前記固定部に固定される。
【０００９】
好適に、前記固定部は、前記多角形の孔の縁に近接して立設され、前記孔に載置された前記装飾物を係止する複数の爪部を有する。
【００１０】
好適に、前記複数の爪部の少なくとも一部は、隣接する複数の孔の間に立設されており、当該隣接する複数の孔に載置された複数の前記装飾物を共通に係止する。
【００１１】
好適に、前記複数の孔の少なくとも一部は、合同な正多角形に形成されており、隣接する孔の辺同士が一定の距離を隔てて略平行に向かい合うように配設されている。
【００１２】
好適に、前記正多角形の孔の少なくとも一部は、隣接する孔同士が線対称の関係を持つように配設されている。
【００１３】
好適に、前記複数の爪部の少なくとも一部は、前記正多角形の孔の頂点若しくは辺の中央に近接して立設される。
【発明の効果】
【００１４】
本発明によれば、固定部に設けられた多角形の孔において宝石等の装飾物が固定されるため、丸孔において宝石が固定される場合に比べて孔の面積を大きくすることが可能になり、貴金属等の材料の使用量を削減できる。
【図面の簡単な説明】
【００１５】
【図１】本実施形態に係る装飾具の正面方向から見た外観例を示す図である。
【図２】本実施形態に係る装飾具の底面方向から見た外観例を示す図である。
【図３】本実施形態に係る装飾具の右側面方向から見た外観例を示す図である。
【図４】固定部の正面方向から見た外観例を示す図である。
【図５】固定部の底面方向から見た外観例を示す図である。
【図６】固定部の右側面方向から見た外観例を示す図である。
【図７】固定部の孔に宝石等の装飾物を固定する方法を説明するための図である。
【図８】図１に示す装飾具における孔の配置パターンを説明するための図である。
【図９】孔の形状を正四角形にした場合の配置パターンを例示する図である。
【図１０】孔の形状を正三角形にした場合の配置パターンを例示する図である。
【発明を実施するための形態】
【００１６】
以下、本発明の一実施形態に係る装飾具について、図面を参照して説明する。
図１〜図３は、本実施形態に係る装飾具の外観の一例を示す図である。図１は装身具の正面図を示し、図２は矢印Ａ（図１）の方向から見た装身具の底面図を示し、図３は矢印Ｂ（図１）の方向から見た装身具の右側面図を示す。
図１〜図３に示すように、本実施形態に係る装飾具は、宝石等の複数の装飾物１０と、これらを固定するための固定部２０を有する。
【００１７】
また、図４〜図６は、図１〜図３に示す装身具における固定部２０を示す図であり、装飾物１０が取り付けられる前の状態を示す。図４は固定部２０の正面図を示し、図５は固定部２０の底面図を示し、図６は固定部２０の右側面図を示す。
図４〜図６に示すように、固定部２０は、正面方向（図５の上方向）へ球状に膨らんでおり、その内側が空洞になっている。このお椀形の構造において、球面の壁には、装飾物１０を固定するための正六角形の孔２２が複数設けられている。また、球面上には、それぞれの孔２２の縁に近接して、装飾部１０を係止する複数の爪部２１が立設される。
【００１８】
図７は、爪部２１によって固定部２０の孔２２に装飾物１０を固定する方法を説明するための図であり、上述した球面に対して垂直な方向から切断した場合の装身具の断面の一部を拡大して図解している。
装飾物１０を固定する前の状態において、爪部２１の形は、上側から孔２２へ装飾物１０を置く際に装飾物１０と当たらないようになっており、例えば図７（Ａ）に示すように、棒状に真っ直ぐ延びている。孔２２に装飾物１０が載置された後、爪部２１の先端が工具等でつぶされると、図７（Ｂ)に示すように、爪部２１が装飾物１０の縁と当たるようになる。これにより、孔２２に載置された装飾部１０が爪部２１で係止され、固定部２０に固定される。
【００１９】
なお、図１〜図３に示す装身具は、爪部２１の先端を図７（Ｂ）に示すように変形させる前の状態を示している。
【００２０】
図８は、孔２２の配置パターンを説明するための図であり、図４〜図６に示す固定部２０の上面の一部を拡大して図解している。
固定部２０には、複数の正六角形の孔２２が概ね規則的に配設されている。すなわち、隣接する孔２２の正六角形の辺同士が一定の距離ｄを隔て略平行に向かい合い、かつ、隣接する孔２２同士が線対称の関係を持つように孔２２が配設されている。正六角形の孔２２がこのように規則的に配設されていることから、孔２２のパターンは全体としてハチの巣状になっている。
【００２１】
隣接する孔２２の隙間の領域には、上述した爪部２１が立設される。爪部２１の幅は、隣接する孔２２の隙間の幅とほぼ等しいため、隙間に立設された１つの爪部２１により複数の装飾物１０が共通に係止される。
例えば図８に示すようなハチの巣状のパターンでは、３つの正六角形の頂点が近接するため、正六角形の孔２２の各頂点付近に爪部２１を立設することにより、１つの爪部２１で３つの装飾物１０を係止することが可能になる。この場合、１つの孔２２に対して平均的に約２本の爪部２１が設けられる。
【００２２】
以上説明したように、本実施形態に係る装飾具によれば、正六角形の孔２２の各辺に内接した状態で固定部２０に装飾物１０が固定される。そのため、図８の点線で示すような丸い孔で装飾物を固定する場合に比べて、孔２２の開口を大きくすることができる。これにより、固定部２０に使用される貴金属等の材料を減らせるので、装飾具のコストの削減と軽量化を図ることができる。
【００２３】
また、本実施形態に係る装飾具によれば、図８の点線で示すような丸い孔で装飾物を固定する場合に比べて、装飾物１０と孔２２の隙間を増やすことができる。これにより、装飾物１０と孔２２との隙間から固定部２０の内部へ光が入射し易くなり、固定部２０の内部で反射した光が装飾物１０を底面側から透過するようになるため、装飾部１０をより美しく輝かせることができる。
【００２４】
また、本実施形態に係る装身具によれば、固定部２０に設けられた複数の孔２２が合同な正六角形に形成されており、隣接する孔２２の辺同士が一定の距離ｄを隔てて略平行に向かい合うように配設されている。また、隣接する正六角形の孔２２同士が線対称の関係を持つように配設されている。これにより、孔２２が図８に示すようなハチの巣状の対称的パターンで配置されるので、孔２２を画成している枠２３の幅が部分的に広くなったり狭くなったりせず、全体的に略一定の幅（ｄ）となる。従って、所望の構造強度を得るために必要な枠２３の幅（ｄ）を確保しつつ、孔２２を密集させることができる。孔２２を密集させることで、装飾物の密度が高くなるので、装飾性を向上できる。
【００２５】
また、上述のように正六角形の孔２２が対称的なパターンで配置されるため、孔２２を画成している棒状の枠２３の延び方向が全体として均一になっている。これにより、枠の構造の方向的な偏りがなくなり、全体の強度を高めることができる。
【００２６】
以上、本発明の一実施形態を説明したが、本発明は上記の形態にのみ限定されるものではなく、種々のバリエーションを含んでいる。
【００２７】
上述した実施形態では、正六角形の孔２２に装飾物１０を固定しているが、本発明はこれに限定されない。例えば、装飾物の固定用の孔は正六角形以外の正多角形でもよい。
【００２８】
図９は、装飾物固定用の孔の形状を正四角形にした場合の例を示す。固定部２０には、複数の正四角形の孔２２Ａが一定のパターンで配設されており、各孔２２Ａに装飾物１０が固定される。
【００２９】
図９（Ａ）の例に示す配置パターンでは、隣接する孔２２Ａの辺同士が一定の距離ｄを隔てて略平行に向かい合うように配設され、かつ、隣接する孔２２Ａ同士が線対称の関係を持つように配設される。装飾物１０を係止するための爪部２１は、正四角形の各辺の中央付近に立設される。各爪部２１は、隣接する孔２２Ａに載置された２つの装飾物１０を共通に係止する。この場合、１つの孔２２Ａあたり約２つの爪部２１が設けられる。
【００３０】
一方、図９（Ｂ）の例に示す配置パターンでは、隣接する孔２２Ａの辺同士が一定の距離ｄを隔てて略平行に向かい合うように配設されており、隣接する孔２２Ａ同士は線対称の関係を持たない。すなわち、図９（Ｂ）の配置パターンでは、孔２２Ａが図の縦方向において直線的に揃って配設されているものの、横方向においては直線的に揃って配設されていない。図９（Ｂ）のパターンにおいても、爪部２１は正四角形の各辺の中央付近に立設されているが、横方向の配置が揃っていないため、２つの装飾物１０を共通に係止できる爪部２１は図の上側の辺と下側の辺に立設された爪部２１に限られる。他の爪部２１は１つの装飾物１０のみを係止する。この場合、１つの孔２２Ａあたり約３つの爪部２１が設けられる。
図９（Ｂ）のパターンは、図９（Ａ）のパターンと比べて爪部２１の数が多くなるという不利益があるものの、孔２２Ａの配置領域の形を図９（Ａ）のパターンに比べて自由に構成できるという利点がある。
【００３１】
また、図１０は、装飾物固定用の孔の形状を正三角形にした場合の例を示す図である。
図１０の例に示す配置パターンでは、隣接する孔２２Ｂの辺同士が一定の距離ｄを隔てて略平行に向かい合うように配設され、かつ、隣接する孔２２Ｂ同士が線対称の関係を持つように配設される。装飾物１０を係止するための爪部２１は、正三角形の各辺の中央付近に立設される。各爪部２１は、隣接する孔２２Ｂに載置された２つの装飾物１０を共通に係止する。この場合、１つの孔２２Ａあたり約１．５個の爪部２１が設けられる。
【００３２】
図８の例と図９、図１０の例を比較して分かるように、孔の辺の数が少なくなるほど爪部の数を減らすことができる。また、孔の辺の数が少なくなると角が鋭角になるため、装飾物と孔との隙間が広くなり、固定部の内側へ光が入射し易くなる。
【００３３】
なお、図８〜図１０では孔の形状を正多角形にする例を挙げているが、本発明はこれに限定されず、孔の形状は任意の多角形でよい。また、孔の大きさは全て同じでなくてもよい。
【００３４】
本発明において、装飾物は宝石に限定されず、例えばガラスや樹脂等で加工・形成されたイミテーションや装飾玉等でもよい。
【００３５】
装飾具の形は、上述した実施形態のような半球状の形態に限定されず、例えば筒体や錐体等の種々の立体でもよい。また、装飾物が固定される面は曲面でもよいし平面でもよい。
【符号の説明】
【００３６】
１０…装飾物、２０…固定部、２１…爪部、２２，２２Ａ，２２Ｂ…孔、２３…枠。
【図１】
2011152215.tif 000003
【図２】
2011152215.tif 000004
【図３】
2011152215.tif 000005
【図４】
2011152215.tif 000006
【図５】
2011152215.tif 000007
【図６】
2011152215.tif 000008
【図７】
2011152215.tif 000009
【図８】
2011152215.tif 000010
【図９】
2011152215.tif 000011
【図１０】
2011152215.tif 000012